(57)【要約】【課題】複数のプロトコル・フォーマットを有するユニバーサル・モバイル・テレコミュニケーション・システム（ＵＭＴＳ）ネットワークにおけるメッセージを相関させる。【解決手段】第１相関キーを用いて、第１プロトコルに従うメッセージを第１コール記録と相関させる。第２相関キーを用いて、第２プロトコルに従うメッセージを第２コール記録と相関させる。第２プロトコルに従うメッセージに関連したフェッチ・キー・パラメータを有し、第１プロトコルに従うキー・メッセージを検出する。第２コール記録からのデータを第１コール記録と組合せて、組合せコール記録を作成する。第２コール記録を第１コール記録にリンクするポインタを生成する。【選択図】図１
2008259186.tif 000002
【特許請求の範囲】
【請求項１】
複数のプロトコル・フォーマットを有するユニバーサル・モバイル・テレコミュニケーション・システム（ＵＭＴＳ）ネットワークにおけるメッセージを相関させる方法であって、
第１相関キーを用いて、第１プロトコルに従うメッセージを第１コール記録と相関させるステップと、
第２相関キーを用いて、第２プロトコルに従うメッセージを第２コール記録と相関させるステップと、
上記第２プロトコルに従うメッセージに関連したフェッチ・キー・パラメータを有し、上記第１プロトコルに従うキー・メッセージを検出するステップと、
上記第２コール記録からのデータを上記第１コール記録と組合せて、組合せコール記録を作成するステップと、
上記第２コール記録を上記第１コール記録にリンクするポインタを生成するステップと
を具えたメッセージ相関方法。
【請求項２】
上記ポインタを生成した後、上記第２プロトコルに従うその後のメッセージを上記組合せコール記録に転送するステップと、
上記その後のメッセージを上記組合せコール記録に組合せるステップと
を更に具えた請求項１のメッセージ相関方法。
【請求項３】
第３相関キーを用いて、第３プロトコルに従うメッセージを第３コール記録に相関させるステップと、
上記第３プロトコルに従うメッセージに関連した第２フェッチ・キー・パラメータを有し、上記第１プロトコルに従う第２キー・メッセージを検出するステップと、
上記第３コール記録からのデータを上記組合せコール記録と組合せるステップと、
上記第３コール記録を上記組合せコール記録にリンクするポインタを生成するステップと
を更に具えた請求項１のメッセージ相関方法。
【請求項４】
上記第１プロトコルに従うメッセージは、ラジオ・リソース・コントロール（ＲＲＣ）プロトコル・メッセージであることを特徴とする請求項１のメッセージ相関方法。
【請求項５】
上記第２プロトコルに従うメッセージは、ノードＢアプリケーション・パート（ＮＢＡＰ）プロトコル・メッセージ又はアクセス・リンク・コントロール・アプリケーション・パート（ＡＬＣＡＰ）プロトコル・メッセージ、若しくはこれらの両方であることを特徴とする請求項１のメッセージ相関方法。
【請求項６】
上記組合せコール記録は、コール期間中に生成されることを特徴とする請求項１のメッセージ相関方法。
【請求項７】
ユニバーサル・モバイル・テレコミュニケーション・システム（ＵＭＴＳ）ネットワークにてメッセージを相関させる方法であって、
第１プロトコルに従うメッセージを第１コール記録に組合せるステップと、
第２プロトコルに従うメッセージを第２コール記録に組合せるステップと、
上記第２プロトコルに関連すると共に上記第１コール記録を上記第２コール記録にリンクさせるために利用できるキー・パラメータを含み、上記第１プロトコルに従うキー・メッセージを捕捉するステップと、
上記第２コール記録からのデータを上記第１コール記録と組合せて組合せコール記録を生成するステップと、
上記第２コール記録を上記第１コール記録にリンクするポインタを生成するステップと
を具えたメッセージ相関方法。
【請求項８】
上記第２プロトコルに従うメッセージを上記組合せコール記録に転送するステップと、
この転送したメッセージを上記組合せコール記録と組合せるステップと
を更に具えた請求項７のメッセージ相関方法。
【請求項９】
第３プロトコルに従うメッセージを第３コール記録に組合せるステップと、
上記第３プロトコルに関連した第２キー・パラメータを含み、上記第１プロトコルに従う第２キー・メッセージを捕捉するステップと、
上記第３コール記録からのデータを上記組合せコール記録に組合せるステップと、
上記第３コール記録を上記組合せコール記録にリンクするポインタを生成するステップと
を更に具えた請求項７のメッセージ相関方法。
【請求項１０】
上記第１プロトコルに従う上記メッセージは、ラジオ・リソース・コントロール（ＲＲＣ）プロトコル・メッセージであることを特徴とする請求項７のメッセージ相関方法。
【請求項１１】
上記第２プロトコルに従うメッセージは、ノードＢアプリケーション・パート（ＮＢＡＰ）プロトコル・メッセージ又はアクセス・リンク・コントロール・アプリケーション・パート（ＡＬＣＡＰ）プロトコル・メッセージ、若しくはこれらの両方であることを特徴とする請求項７のメッセージ相関方法。
【請求項１２】
上記組合せコール記録は、コール期間中に生成されることを特徴とする請求項７のメッセージ相関方法。
【請求項１３】
複数のプロトコルに従うメッセージをコール記録に組合せるシステムであって、
ネットワーク・ノードにてインタフェースに結合され、上記ネットワーク・ノードと行き来するほぼ総てのメッセージを捕捉するモニタ装置と、
第１プロトコルに従うメッセージを識別し、上記第１プロトコルのメッセージを第１コール記録に編集するプロセッサと、
第２プロトコルに従うメッセージを識別し、上記第２プロトコルのメッセージを第２コール記録に編集するプロセッサと、
上記第２プロトコルに従うメッセージに関連したキー・パラメータを有し、上記第１プロトコルに従うキー・メッセージを検出するプロセッサと、
上記第２コール記録からのデータを上記第１コール記録に組合せるプロセッサと
を具えたメッセージ組合せシステム。
【請求項１４】
上記第２コール記録を蓄積するメモリと、
上記第２コール記録を上記第１コール記録にリンクさせ、上記第２コール記録に関連したポインタと
を更に具えた請求項１３のメッセージ組合せシステム。
【請求項１５】
第３プロトコルに従うメッセージを識別し、上記第３プロトコルのメッセージを第３コール記録に編集するプロセッサと、
上記第３プロトコルに従うメッセージに関連した第２フェチ・キー・パラメータを有し、上記第１プロトコルに従う第２キー・メッセージを検出するプロセッサと、
上記第３コール記録からのデータを上記第１コール記録に組合せるプロセッサと
を更に具えた請求項１３のメッセージ組合せシステム。
【請求項１６】
上記第１プロトコルに従う上記メッセージは、ラジオ・リソース・コントロール（ＲＲＣ）プロトコル・メッセージであり、上記第２プロトコルに従うメッセージは、ノードＢアプリケーション・パート（ＮＢＡＰ）プロトコル・メッセージ又はアクセス・リンク・コントロール・アプリケーション・パート（ＡＬＣＡＰ）プロトコル・メッセージ、若しくはこれらの両方であり、上記第３プロトコルに従うメッセージは、ラジオ・ネットワーク・サブシステム・アプリケーション・パート（ＲＮＳＡＰ）プロトコル・メッセージであることを特徴とする請求項１３のメッセージ組合せシステム。
【請求項１７】
上記ネットワーク・ノードは、ＵＴＲＡＮネットワーク内のラジオ・ネットワーク・コントローラ（ＲＮＣ）であることを特徴とする請求項１３のメッセージ組合せシステム。
【発明の詳細な説明】
【技術分野】
【０００１】
本発明は、一般に、ワイヤレス・システムにてメッセージをモニタするシステム及び方法に関し、特に、メッセージを捕捉し、単一のコール記録に相関させるメッセージ相関方法及びメッセージ組合せシステムに関する。
【背景技術】
【０００２】
ユニバーサル・モバイル・テレコミュニケーション・システム（ＵＭＴＳ）は、ヨーロピアン・テレコミュニケーション・スタンダード・インステチュート（ＥＴＳＩ）により先ず標準化され、第３世代パートナーシップ・プロジェクト（３ＧＰＰ）により現在標準化された第３世代（３Ｇ）モバイル・ホーン（携帯電話）技術である。エア（空中）インタフェースとしてワイドバンド符号分割多重アクセス（Ｗ−ＣＤＭＡ）を用いて、ＵＭＴＳが回線交換（ＣＳ：circuit switched）及びパケット交換（ＰＳ：packet switched）トラフィックの両方を伝送する。ＵＭＴＳに用いるネットワーク・コンポーネント及びプロトコルの記述は、当業者に周知であり、３ＧＰＰ、ＥＴＳＩ及び他の情報源から一般にも利用可能である。ＵＭＴＳネットワーク・アーキテクチャは、３つのドメイン、即ち、コア・ネットワーク（ＣＮ）、ＵＭＴＳ地球ラジオ・アクセス・ネットワーク（ＵＴＲＡＮ）及びユーザ装置（ＵＥ）から構成されている。
【０００３】
ＵＴＲＡＮは、加入者ＵＥにアクセスするエア・インタフェースを提供する。ＵＴＲＡＮにおけるベース・ステーション（基地局）は、ノードＢと呼ばれ、ノードＢ用の制御装置は、ラジオ・ネットワーク・コントローラ（ＲＮＣ）と呼ばれる。ＵＭＴＳユーザ装置は、ＷＣＤＭＡエア・インタフェースによりノードＢと通信を行う。ＵＥは、ＰＳドメイン又はＣＳドメイン、若しくはこれら両方のドメインに帰属させることができる。ＵＥは、ＰＳサービス及びＣＳサービスを同時に利用できる。
【０００４】
非同期トランスファ・モード（ＡＴＭ）をＵＭＴＳでのデータ伝送に使用する。ＡＴＭレイヤーは、複数のＡＴＭセルをマルチプレクス及びデマルチプレクスして伝送し、端から端までのシーケンスを確実にする。ＡＴＭアダプテーション・レイヤー（ＡＡＬ）は、異なるアプリケーションのために、ＡＴＭの低いレイヤーを介してペイロードを発生及び受信できる。ＡＴＭアダプテーション・レイヤー・タイプ２（ＡＡＬ２）は、回線交換接続を扱い、パケット接続プロトコルＡＡＬ５はデータ配信用に設計されている。
【０００５】
【特許文献１】特表２００３−５２３５８１号公報
【発明の開示】
【発明が解決しようとする課題】
【０００６】
従来技術の欠点の１つは、複数の個別の加入者の同じコール（呼）に関連したメッセージを識別することの困難さである。多くのＵＥは、同時点でノードＢ及びＲＮＣと通信を行っているので、１秒当たりの数千のデータ及び制御メッセージがノードＢ及びＲＮＣの間と、複数のＲＮＣの間を通過する。これらメッセージは、メッセージの目的に応じていくつかの異なるプロトコル・フォーマットに従う。その結果、ＵＴＲＡＮ内のインタフェースを通過するメッセージは、どのメッセージが同じ加入者に関連するかを判断するための充分な情報を提供できない。
【０００７】
従来技術の第２の欠点は、異なるプロトコルに関係した関連コール記録を識別するのが困難なことである。個別のコール記録は、特定のプロトコル形式のメッセージ用に確立できる。しかし、異なるプロトコル用のコール記録は、同じコールに関連するが、これらコール記録は、相関アクセス・プロトコル形式が可能となる情報を具えていない。
【課題を解決するための手段】
【０００８】
本発明は、複数のプロトコル・フォーマットを有するユニバーサル・モバイル・テレコミュニケーション・システム（ＵＭＴＳ）ネットワークにおけるメッセージを相関させる方法であって；第１相関キーを用いて、第１プロトコルに従うメッセージを第１コール記録と相関させるステップと；第２相関キーを用いて、第２プロトコルに従うメッセージを第２コール記録と相関させるステップと；第２プロトコルに従うメッセージに関連したフェッチ・キー・パラメータを有し、第１プロトコルに従うキー・メッセージを検出するステップと；第２コール記録からのデータを第１コール記録と組合せて、組合せコール記録を作成するステップと；第２コール記録を第１コール記録にリンクするポインタを生成するステップとを具えている。
また、本発明は、ユニバーサル・モバイル・テレコミュニケーション・システム（ＵＭＴＳ）ネットワークにてメッセージを相関させる方法であって；第１プロトコルに従うメッセージを第１コール記録に組合せるステップと；第２プロトコルに従うメッセージを第２コール記録に組合せるステップと；第２プロトコルに関連すると共に第１コール記録を第２コール記録にリンクさせるために利用できるキー・パラメータを含み、第１プロトコルに従うキー・メッセージを捕捉するステップと；第２コール記録からのデータを第１コール記録と組合せて組合せコール記録を生成するステップと；第２コール記録を第１コール記録にリンクするポインタを生成するステップとを具えている。
さらに、本発明は、複数のプロトコルに従うメッセージをコール記録に組合せるシステムであって；ネットワーク・ノードにてインタフェースに結合され、ネットワーク・ノードと行き来するほぼ総てのメッセージを捕捉するモニタ装置と；第１プロトコルに従うメッセージを識別し、第１プロトコルのメッセージを第１コール記録に編集するプロセッサと；第２プロトコルに従うメッセージを識別し、第２プロトコルのメッセージを第２コール記録に編集するプロセッサと；第２プロトコルに従うメッセージに関連したキー・パラメータを有し、第１プロトコルに従うキー・メッセージを検出するプロセッサと；第２コール記録からのデータを第１コール記録に組合せるプロセッサとを具えている。
【発明の効果】
【０００９】
本発明は、上述の及びその他の問題点を広く解決し、回避し、技術的な利点を一般的に達成できる。本発明では、コール記録は、コールの開始において、種々のプロトコルに対して開始する。特定のメッセージからのパラメータは、相関キーとして動作して、関連プロトコル・コール記録を識別する。同じコールに関係する異なるプロトコル用のコール記録は、１つの記録に組合される。
【発明を実施するための最良の形態】
【００１０】
本発明の一実施例によれば、本発明の方法は、複数のプロトコル・フォーマットのメッセージを相関させる。第１相関キーを用いて、第１プロトコルに従うメッセージを第１コール記録に相関させる。第２相関キーを用いて、第２プロトコルに従うメッセージを第２コール記録に相関させる。第１プロトコルに従うメッセージを検出する。キー・メッセージは、第２プロトコルに従うメッセージに関係したフェッチ・キー・パラメータを有する。第２コール記録からのデータを第１コール記録に組合せて、組合せ（組合さった）コール記録を生成する。第２コール記録を第１コール記録にリンクするポインタを生成する。このポインタを生成した後、第２プロトコルに従うその後のメッセージを組合せコール記録に転送し、この組合せコール記録に組合せる。第３相関キーを用いて、第３プロトコルに従うメッセージを第３コール記録に相関させる。第１プロトコルに従う第２キー・メッセージは、第３プロトコルに従うメッセージに関係した第２フェッチ・キー・パラメータを有する。第３コール記録からのデータを組合せコール記録と組合せ、ポインタが第２コール記録を組合せコール記録にリンクさせる。コール期間中に、組合せコール記録を生成する。
【００１１】
他の実施例において、システムは、多数のプロトコルをコール記録に組合せる。モニタ装置は、ネットワーク・ノードにてインタフェースに結合される。モニタ装置は、ネットワーク・ノードと行き来するほぼ総てのメッセージを捕捉する。プロセッサは、第１プロトコルに従うメッセージを識別し、第１プロトコル・メッセージを第１コール記録に編集（コンパイル）する。プロセッサは、第２プロトコルに従うメッセージを識別し、第２プロトコル・メッセージを第２コール記録に編集する。プロセッサは、第２プロトコルに従うメッセージに関係したキー・パラメータを有し、第１プロトコルに従うキー・メッセージを検出する。プロセッサは、第２コール記録からのデータを第１コール記録に組合せる。これら上述のプロセッサは、複数のアプリケーションを実行する単一のプロセッサでもよいし、１つ以上の処理を実行する分離した複数のプロセッサでもよい。
【００１２】
このシステムは、第２コール記録を蓄積するメモリと、第２コール記録に関係したポインタとを更に具えている。ここで、ポインタは、第２コール記録を第１コール記録にリンクする。このシステムは、第３プロトコルに従うメッセージを識別し、第３プロトコル・メッセージを第３コール記録に編集するプロセッサと、第１プロトコルに従う第２キー・メッセージを検出し、第３プロトコルに従うメッセージに関係する第２フェチ・キー・パラメータを有するプロセッサと、第３コール記録からのデータを第１コール記録と組合せるプロセッサとを更に具える。このシステムは、第３コール記録を蓄積するメモリと、第３コール記録に関係したポインタとを更に具え、かかるポインタは、第３コール記録を第１コール記録にリンクする。
【００１３】
一実施例において、第１プロトコルに従うメッセージは、ラジオ・リソース・コントロール（ＲＲＣ）プロトコル・メッセージであり、第２プロトコルに従うメッセージは、ノードＢアプリケーション・パート（ＮＢＡＰ）プロトコル・メッセージ又はアクセス・リンク・コントロール・アプリケーション・パート（ＡＬＣＡＰ）プロトコル・メッセージ、若しくはこれらの両方であり、第３プロトコルに従うメッセージは、ラジオ・ネットワーク・サブシステム・アプリケーション・パート（ＲＮＳＡＰ）プロトコル・メッセージである。ネットワーク・ノードは、ＵＴＲＡＮネットワークにおけるラジオ・ネットワーク・コントローラ（ＲＮＣ）でもよい。
【００１４】
本発明によれば、モニタ装置は、異なるプロトコルを有する多数のコール記録の間を相関させて、単一の組合せコール記録を生成できる。また、本発明によれば、コールが行われている最中に実時間で、異なるプロトコルに対する多数のコール記録を単一のコール記録と組み合わせることができる。
【００１５】
さらに本発明及びその特徴を理解するために、添付図を参照して本発明を詳細に説明する。
【実施例】
【００１６】
本発明は、種々の特定状況において実現できる多くの適用可能な新規な概念を提供する。ここで説明する特定の実施例は、本発明を達成し利用するための特定の方法を単に示すものであり、本発明の範囲を限定するものではない。
【００１７】
図１は、ノードＢ１０１及びラジオ・ネットワーク・コントローラ（ＲＮＣ）１０２を具えたＵＭＴＳネットワークのＵＴＲＡＮ部分を示す。ノードＢ１０１は、ＩｕＢインタフェース１０３を介してＲＮＣ１０２と通信をする。ＲＮＣ１０２は、Ｉｕｒインタフェース１０４を介して互いに通信を行う。ノードＢ１０１は、エア・インタフェースＵｕ１０６を介してユーザ装置（ＵＥ）１０５と通信をする。ＵＥ１０５がコールを行うか受ける時は常に、Ｉｕｂインタフェース１０３を介してノードＢ１０１及びＲＮＣ１０２の間で、且つＩｕｒインタフェース１０４を介して複数のＲＮＣ１０２の間で、シグナリング・メッセージが交換される。モニタ又はプローブ１０７は、ＲＮＣ１０２に非侵入的に結合されて、Ｉｕｂインタフェース１０３及びＩｕｒインタフェース１０４を介してＲＮＣ１０２と行き来するほぼ総てのプロトコル・メッセージを捕捉する。モニタ１０７は、中央サーバー１０８に結合される。これにより、操作者は、モニタ１０７により収集されたネットワーク情報にアクセスできる。
【００１８】
図２は、ＵＴＲＡＮネットワークにおけるＩｕｂインタフェースで用いるプロトコル・スタックを示す。図３は、ＵＴＲＡＮネットワークにおけるＩｕｒインタフェースで用いるプロトコル・スタックを示す。ＵＴＲＡＮは、Ｉｕｂ及びＩｕｒインタフェース用のＡＴＭインフラストラクチュアを導入している。ＵＴＲＡＮは、ＡＴＭ例のトップでＡＡＬ２及びＡＡＬ５アダプテーション（適合層）の両方を用いる。ノードＢアプリケーション・パート（ＮＢＡＰ）、アクセス・リンク制御アプリケーション・パート（ＡＬＣＡＰ）及びラジオ・ネットワーク・サブシステム・アプリケーション・パート（ＲＮＳＡＰ）プロトコル・メッセージは、ＡＡＬ５チャネルを介して伝送され、ラジオ・リソース制御（ＲＲＣ）プロトコル・メッセージは、ＡＡＬ２チャネルを介して伝送される。
【００１９】
図２及び図３に示すように、ＵＴＲＡＮ内で用いる多くのプロトコル・レイヤーの状況により、ＲＲＣ接続要求メッセージ、ページング（paging）メッセージ又はラジオ・リンク削除メッセージの如き総ての加入者関連の手順及びメッセージを、総てのＵＴＲＡＮインタフェースと交差して、単一のコール記録に相関させることは困難なことであった。モニタ１０７は、相関キーを用いて、関係したメッセージを識別する。各プロトコルは、それ自身の相関キーを有する。
【００２０】
Ｉｕｂインタフェース（図２）において、ＮＢＡＰ及びＡＬＣＡＰプロトコルは、ＡＡＬ５をトランスポート・レイヤーとして用いる。これらプロトコルにとって、モニタ１０７は、アップリンク加入者コードに基づいて相関キーを用いる。このキーにより、単一のＵＥに属する総てのＡＡＬ５メッセージが単一のＮＢＡＰ／ＡＬＣＡＰコール記録に相関するのを確実にする。一方、ＲＲＣプロトコルはＡＡＬ２をトランスポート・レイヤーとして用いるので、異なるキーを用いて、ランダム・アクセス・チャネル（ＲＡＣＨ）、フォワード・アクセス・チャネル（ＦＡＣＨ）及びデジケティッド（Dedicated）チャネル（ＤＣＨ）メッセージの如きＲＲＣメッセージをＲＲＣコール記録に相関させる。Ｉｕｒインタフェース（図３）において、ＲＮＳＡＰプロトコルは、ＭＴＰ３Ｂ／ＳＣＣＰをトランスポート・レイヤーとして用いる。ＲＮＳＡＰメッセージをＲＮＳＡＰコール記録に組合せるのに用いた相関キーは、ＮＢＡＰ／ＡＬＣＡＰ及びＲＲＣコール記録用に用いたキーと異なっている。
【００２１】
複数のモニタ１０７がＩｕｂ及びＩｕｒインタフェースの間で交換されたメッセージを捕捉するので、これらは、関連メッセージを組合せてコール記録を構成し始める。例えば、モニタは、同じアップリンク・スクランブル・コードを有するＮＢＡＰ及びＡＬＣＡＰを検出するので、これらメッセージが単一のＮＢＡＰ／ＡＬＣＡＰコール記録に相関される。同様に、モニタは、共通の相関キーにマッチしたＲＲＣメッセージを検出するので、これらＲＲＣプロトコル・メッセージを単一のＲＲＣコール記録に組合せる。同様に、ＲＮＳＡＰ相関キーにマッチするＲＮＳＡＰメッセージが単一のコール記録に組合さる。その結果、モニタ１０７がＲＮＣ１０２及びリンク１０３、１０４からのメッセージを捕捉し始めるので、いくつかのコール記録は、単一のコール用にオープンされる。本発明は、「フェッチ及びブリッジ」方法を用いて、別のプロトコル・コール記録を単一の組合せコール記録にマージする（組合せる）。コールが行われている期間中、即ち、「コール中（mid-call）」に、プロトコル・コール記録が組合される。
【００２２】
コール中のマージは、「フェッチ及びブリッジ」方法を用いて、単一の組合せコール記録にマージされたプロトコル・コール記録を求める。ＲＲＣコール記録が関連ＮＢＡＰ／ＡＬＣＡＰコール記録からデータを引き出したときに、「フェチ」動作が生じる。そのコール用の加入者ＮＢＡＰ／ＡＬＣＡＰプロトコル・メッセージに対して「ブリッジ」動作が生じる。これにより、ＲＲＣメッセージではなく異なる相関キーを伝送するが、関連ＮＢＡＰ／ＡＬＣＡＰメッセージとして同じＲＲＣコール記録から伝達することが必要となる。
【００２３】
図４は、内部ＲＮＣハンドオーバによるモバイル指向コール用のＩｕｂ及びＩｕｒメッセージの流れを示す。モニタ４０１は、ノードＢ４０３及びＲＮＣ４０４巻のＩｕｂインタフェース４０２からのプロトコル・メッセージと、ＲＮＣ４０４及び４０６の間のＩｕｒインタフェース４０５からのプロトコル・メッセージとを捕捉する。ＲＲＣ接続要求メッセージ４０７を受信すると、モニタ４０１は、ＲＲＣ相関キーＡを用いて、コールＡ（図５の５０１）の如きＲＲＣコール記録を生成する。ＮＢＡＰラジオ・リンク・セットアップを受信すると、モニタ４０１は、相関キーＢを用いてコールＢ（図５の５０２）の如きＮＢＡＰ／ＡＬＣＡＰコールを生成する。相関キーＢと同じアップリンク・スクランブル・コードを有するメッセージ４０９の如きＡＬＣＡＰメッセージをモニタ４０１が捕捉するので、これらメッセージはコールＢ（５０２）に相関される。
【００２４】
モニタ４０１がＲＲＣ接続セットアップ・メッセージ４１０を受信すると、これはメッセージをコールＡ（５０１）に相関させる。モニタ４０１は、また、メッセージ４１０からアップリンク・スクランブル・コードを抽出する。この抽出が成功すると、アップリンク・スクランブル・コードを用いて、「フェッチ・キー」（５０３）を作成して、関連コールＢ記録（５０２）を識別しフェッチする。このフェッチが成功すると、「ブリッジ」ポインタ（５０４）がコールＢ記録５０２及びコールＡ（記録）５０１の間でセットアップされる。その後に捕捉されたＲＲＣメッセージを相関キーＡと共に依然としてコールＡ（５０１）に相関させる。モニタ４０１が、相関キーＢを有するその後のＮＢＡＰ／ＡＬＣＡＰメッセージを検出すると、これらメッセージは、先ず、コールＢ（記録）５０２に相関される。次に、コールＢ記録５０２及びコールＡ記録５０１の間のブリッジ・ポインタ５０４を用いて、ＮＢＡＰ／ＡＬＣＡＰメッセージがコールＡ記録５０１に伝送される。よって、フェッチ動作の後、コールＢ記録５０２は、丁度ブリッジとなり、コール記録のマージを手助けする。このＵＥコールに関連した総てのメッセージが処理されると、コールＢ記録５０２が無効となる。
【００２５】
内部ＲＮＣハンドオーバの手順期間中、同じ論理を相関Ｉｕｂ−Ｉｕｒメッセージに適用する。ＳＣＣＰ＿ＣＲメッセージ４１１及びＳＣＣＰ＿ＣＣメッセージ４１２を受信すると、相関キーＣを用いてＲＮＳＡＰコールＣ記録５０５がモニタ４０１により生成される。ＳＣＣＰ＿ＤＴ１のトップでＲＮＳＡＰを有するメッセージ４１３がモニタ４０１で受信されると、アップリンク・スクランブル・コードがメッセージ４１３から抽出されて、フェッチ・キーを作成する（図５の５０６）。これを用いて、既存の関連コールＢ記録５０２を見つける。ブリッジ・ポインタ５０７を確立して、コールＣ記録５０５からのメッセージをコールＢ記録５０２に組合せる。これは、明らかに、コールＡ記録５０１にマージされる。フェッチ５０６が生じてブリッジ・ポインタ５０７が設定されると、コールＣ記録５０５がコール記録のマージを行うブリッジとなり、このブリッジがコールの終わりにて必要なくなると無効となる。
【００２６】
上述の如く、ＲＲＣ接続セットアップ・メッセージ４１０を受信すると、マージ処理が開始する。このメッセージはコールの最中に生じるので、この処理は、コール中マージ（mid-call merging）と呼ばれる。ＲＲＣ接続セットアップ・メッセージはアップリンク・スクランブル・コードを伝送するので、このメッセージを用いる。これは、ＲＲＣ及びＮＢＡＰ／ＡＬＣＡＰコール記録を一緒にリンクするキーである。
【００２７】
本発明は、ＵＴＲＡＮモニタ・システム用に実時間コール追跡を行う。１つのＵＥに属するＩｕｂ及びＩｕｒインタフェース上の総てのメッセージは、連続的に追跡され、単一のコール記録に相関される。コール中のマージすることなく別個のコール記録にメッセージを保持する代わりに、本発明は、実時間で多数のプロトコルの相関を達成する。これは、改善された実時間コール追跡を行う。このため、エンド・ユーザは、１つのコール記録を選択して、選択されたＵＥに属する総ての詳細を得る。
【産業上の利用可能性】
【００２８】
本発明及びその利点を詳細に上述したが、本発明の要旨を逸脱することなく、種々の変更、代用、交換などが可能であることが理解できよう。本発明の範囲は、本明細書で説明した処理、マシーン、製造、組成物、手段、方法及びステップに限定することを意図してはいない。当業者が容易に理解できる如く、既存及び今後開発される処理、マシーン、製造、組成物、手段、方法及びステップによっても、本発明に関して上述した実施例とほぼ同じ機能又は結果を達成できる。よって、本発明は、これらも含むものである。
【図面の簡単な説明】
【００２９】
【図１】本発明の実施例によりＵＴＲＡＮネットワークに結合されたモニタ装置を示す。
【図２】Ｉｕｂインタフェース用のプロトコル・スタックを示す。
【図３】Ｉｕｒインタフェース用のプロトコル・スタックを示す。
【図４】本発明の実施例によるモニタ装置によりＩｕｂ及びＩｕｒインタフェースから捕捉したメッセージを示す。
【図５】本発明の実施例によりコール記録間の関係を示すブロック図である。
【符号の説明】
【００３０】
１０１  ノードＢ
１０２  ラジオ・ネットワーク・コントローラ（ＲＮＣ）
１０５  ユーザ装置（ＵＥ）
１０７  モニタ
１０８  サーバー
４０１  モニタ
４０３  ノードＢ
４０４、４０６  ＲＮＣ
５０１  コールＡ記録
５０２  コールＢ記録
５０３、５０６  フェッチ・キー
５０４、５０７  ブリッジ・ポインタ
５０５  コールＣ記録
【図１】
2008259186.tif 000003
【図２】
2008259186.tif 000004
【図３】
2008259186.tif 000005
【図４】
2008259186.tif 000006
【図５】
2008259186.tif 000007